(57)【要約】【課題】国際規格のクレジットカードのエンボスラインに点字を設ける。【解決手段】国際規格のクレジットカードと同様のエンボスを行うプラスチックカードなどの券面において、縦２点の点字配列のみにより形成される点字を備えるものであり、この点字配列を一つのエンボスライン内にそのエンボスラインの行方向に沿って配列する。また、点字のエンボス表示方法の態様は、カードの券面上において、一つのエンボスライン内にそのエンボスラインの行方向に沿って縦２点の点字配列をエンボス加工により形成し、この縦２点の点字配列のみにより点字を構成する。【選択図】  図１
2004230767.tif 000002
【特許請求の範囲】
【請求項１】
国際規格のクレジットカードの券面において、
一つのエンボスラインに縦２点又は縦１点の点字配列により形成される点字を備え、前記縦２点又は縦１点の点字配列は、縦３点横２列からなる６点点字の点字配列の上方４点あるいは下方４点、又は上段、中段、下段のいずれかの２点であることを特徴とする、クレジットカード。
【請求項２】
前記エンボスラインは、カードの下縁部に最も近いエンボスラインであることを特徴とする、請求項１に記載のクレジットカード。
【請求項３】
カードの券面上において、縦３点横２列からなる６点点字の点字配列の上方４点の点列あるいは下方４点の点列、又は上段、中段、下段のいずれかの２点の点字配列を、一つのエンボス形成ライン内に当該エンボス形成ラインの行方向に沿って配置することを特徴とする、エンボス表示方法。
【請求項４】
カードの下縁部の最も近いエンボスラインに前記点字配列を形成することを特徴とする、請求項３に記載のエンボス表示方法。
【請求項５】
前記縦２点の点字配列は、上下２点、下方の１点、及び上方の１点の各点をエンボス加工する活字、及びスペースを用いて形成し、
前記縦１点の点字配列は、上方の１点の各点をエンボス加工する活字、及びスペースを用いて形成することを特徴とする、請求項３又は４に記載のエンボス表示方法。
【請求項６】
前記上下２点をエンボス加工する活字はコロンの活字を用い、下方又は上方の１点をエンボス加工する活字はピリオドの活字を用いることを特徴とする、請求項５に記載のエンボス表示方法。
【発明の詳細な説明】
【０００１】
【発明の属する技術分野】
本発明はカードに関し、特に視覚障害者によるカードの識別に好適なクレジットカードに関する。
【０００２】
【従来の技術】
金融、流通、クレジットサービスなどに関連して種々のカードが利用されている。これらのカードは健常者を対象とするものが一般的である。カードの券面には、エンボス加工により、カード所有者を特定する番号や氏名を表示する凹凸が形成されているが、この凹凸を触読することは困難である。
【０００３】
近年、日常生活において各種のハンディを持つ者に対する社会的な不利益を排除しようという社会的動きが顕著になり、カードに対しても関心が持たれている。例えば、特許文献１には、視覚障害者が複数のカードを識別できるように、利用用途に関する情報や所有者に関する情報をカードの券面に点字で表示するプラスチックカードが出願されている。
【０００４】
一方、点字は、日本国内において最も多く使われているものは、およそ縦６ｍｍ、横４ｍｍの大きさの「ます」と呼ばれる枠の中に、縦方向に３点、横方向に２点の合計６点の凸型刻印を施す位置があり、この６点の位置に凸型の点を配列することにより文字を表している。点字の認識率を高めるには、この配列の規定に従って点字を形成することが求められている。そのため、上記したカードの他にも券面に点字を形成したカードが提案されているが、いずれのカードも縦３点横２列の点字の規格配列に従って形成している。
【０００５】
【特許文献１】
特開２０００−６２３６１号
【０００６】
【発明が解決しようとする課題】
クレジットカードにおいて、他のカードと同様に、券面に利用者情報を点字で表示することが考えられるが、国内で最も使われている点字の枠の大きさは約６ｍｍ×４ｍｍであるのに対して、国際クレジットカードの決済機構であるブランド会社の多くはエンボスラインの高さを４ｍｍに定めているため、国際クレジットカードにエンボスラインの高さを越える日本国内で使われる大きさの点字を適用することができない。この国際クレジットカードの決済機構であるブランド会社の多くが定めるエンボス領域は、各国のＡＴＭやキャッシュディスペンサーの端末や機械及びインプリンターなどで読み取れるように厳密に定められているものであり、技術的には、日本点字の約６ｍｍ×４ｍｍの大きさの点字を点字用のエンボス装置を使用して打刻することは可能であるが、このようにして作成したカードでは規格外のカードとなり、最悪の場合端末や機械で読み取れないおそれもあり、国際クレジットカードのルールとしては認められていない。
【０００７】
図８は、国際規格のクレジットカードのエンボス部分の規格の一例を示している。カードの券面には、磁気記録が施される他、凸部形状のエンボス加工が施され、番号や記号や文字が表示されている。カードは、カード自体の大きさ（カードの幅Ａ、カードの高さＢ、カードの厚さ（図示していない））などの他、このエンボス加工が施される位置について細かく規定されている。例えば、カードのクレジットカード番号や会員番号と呼ばれるアカウント番号（１６桁、あるいは１３桁）を設ける領域の位置（例えば、最大高さＯや最大幅Ｑ）、エンボスにより表示されるキャラクタの位置（例えば、領域の最大高さＳ１，Ｓ２，Ｓ３、カードの縁から第１段のエンボスラインまでの距離Ｅ，カードの縁から各エンボスラインの中心位置までの距離Ｆ，Ｇ，Ｈ）等が規定されている。
【０００８】
図９はエンボスラインの部分と点字との関係を示す図である。第１段〜第３段のエンボスラインの最大高さＳ１，Ｓ２，Ｓ３はそれぞれ４ｍｍに規定されているため、縦方向の長さが６ｍｍに規定される点字をこの一行のエンボスライン内に設けることはできない。
【０００９】
ここで、縦３点横２列の点字の大きさを縦が４ｍｍ以下となるように縮小して一行のエンボスライン内に点字を形成した場合には、外見上は点字状の点が形成されるが、小さすぎて各点を区別して触読することは難しい。仮に、各点が区別できたとしても、通常使用する点字とは異なる間隔であるため、触読するのに時間がかかることとなり実用的ではない。
【００１０】
また、点字によらず、プリペイドカードに見られるような切り欠きや、突起などをカードの縁部分に形成する方法も考えられるが、切り欠きや突起による識別では識別数が少数に限られ、多数の利用者に適用することができない。また、これも国際クレジットカードのブランド会社のルールにおいても認められていない。
【００１１】
したがって、国際クレジットカードでは、エンボスラインに点字を設けることができないという問題がある。
【００１２】
また、クレジットカードに限らず、カードに点字のエンボス加工を施すには、点字用のエンボス装置又は点字専用の活字が必要であるという問題がある。特に、活字は点字が縦３点横２列の６個の点の組合せにより構成されているため、６４通り（＝２の６乗個）から刻印のない場合を差し引いた６３通りものパターンが必要となる。ひらがな、カタカナ、数字、アルファベット、記号等の活字を備えた汎用のエンボス装置に、さらに多数の点字用の活字を備えることは装置が大型化するという問題がある。また、点字専用のエンボス装置を設けることは装置に要する費用が上昇するという問題の他に、エンボス加工の処理効率の上でも問題がある。
【００１３】
そこで、本発明は、上記した従来の課題を解決し、国際規格のクレジットカードのエンボスラインに点字を設けることを目的とする。
【００１４】
【課題を解決するための手段】
本発明は、クレジットカードの券面上のエンボスラインに対する点字の配置を工夫することにより、国際規格のクレジットカードのエンボスラインにおいても点字を設けることを可能とする。
【００１５】
本発明は、クレジットカードの態様、及び点字のエンボス表示方法の態様とすることができる。
【００１６】
クレジットカードの態様は、国際規格のクレジットカードと同様のエンボスを行うプラスチックカードなどの券面において、縦２点の点字配列のみ、又は縦１点の点字配列のみにより形成される点字を表記するものであり、この点字配列を一つのエンボスライン内にそのエンボスラインの行方向に沿って配列する。また、点字のエンボス表示方法の態様は、カードの券面上において、一つのエンボスライン内にそのエンボスラインの行方向に沿って縦２点の点列又は縦１点の点列をエンボス加工により形成し、この縦２点又は縦１点の点字配列のみにより点字を構成する。
【００１７】
点字は、縦２点又は縦１点の点字配列のみであるが、一般的に用いられる大きさにより形成されるため、エンボスラインの高さが制限された券面であっても触読による認識が可能となる。さらに、点字を一つのエンボスライン内においてエンボスラインの行方向に沿って配列する形態であるため、一つのエンボスラインのみにより点字を触読することができる。
【００１８】
また、エンボスラインは、カードが備える任意のエンボスラインとすることができる。この内、カードの下縁部の最も近いエンボスラインとする構成により、カードの下縁部を点字配列のガイドして認識することができ、点字の触読を容易とすることができる。
【００１９】
本発明のクレジットカードの態様、及び点字のエンボス表示方法の態様は、縦２点の点字列による形態、又は縦１点の点字配列の形態とすることができる。
【００２０】
縦２点の点字配列の第１の形態は、縦３点横２列からなる６点点字の点字配列の上方４点を用いる形態である。上方４点の点字配列で形成される点字は、縦３点横２列からなる６点点字の点字配列の上方４点側のみに有意点を有し、下方２点側に有意点を有しない点字であり、例えば、「あ、い、う、え、お」の仮名表記、「１〜０」の数字表記、「ａ〜ｊ」のアルファベット表記とすることができる。これらの文字や数字を表す６点点字は、上方４点側のみの点配列で形成され、下方２点側には点は形成されない。
【００２１】
また、縦２点の点字配列の第２の形態は、縦３点横２列からなる６点点字の点字配列の下方４点を用いる形態である。下方４点の点字配列で形成される点字は、縦３点横２列からなる６点点字の点字配列の下方４点側のみに有意点を有し、上方２点側に有意点を有しない点字であり、例えば、「（、）、？、！」等の邦文記号、「．（ピリオド）、，（コンマ）、；（セミコロン）、：（コロン）、−（ハイフン）、“、”、？、！」等の英文記号とすることができる。これらの文字や数字を表す６点点字は、下方４点側のみの点列で形成され、上方２点側には点は形成されない。
【００２２】
また、縦１点の点字配列の形態は、縦３点横２列からなる６点点字の点字配列の上段、中段、下段のいずれかの横２点の点列を用いる形態である。２点の点列で形成される点字は、縦３点横２列からなる６点点字の点字配列の上段、中段、下段のいずれかの横２点のみに有意点を有し、その他に有意点を有しない点字であり、例えば、数字の「１、３」、文字の「あ、う」、英字の［Ａ、Ｃ」、つなぎ符、棒線、点線、「、」等の邦文記号、「，（コンマ）、：（コロン）、−（ハイフン）」等の英文記号とすることができる。これらの文字や数字を表す６点点字は、何れかの段の横２点のみの点列で形成され、その他の段には点は形成されない。
【００２３】
点字の読み手は、形成される点字が、縦３点横２列からなる６点点字の点字配列の内で上方４点側あるいは下方４点側のみ点が形成され、下方２点側の点はあるいは上方２点に形成されていないこと、又は、縦３点横２列からなる６点点字の点字配列の内でいずれかの段の横２点のみ点が形成され、他の段には形成されていないことを予め認識しておくことにより、４点の点字配列のみの点字又は２点の点字配列のみの点字により文字や数字を触読することができる。
【００２４】
第１〜３の形態のクレジットカードは、カードの券面上のエンボスライン内においてカードの左から右に向かって点字が形成されることになり、左から右に向かって点字を読むことができる。このとき、カードの左側の縁は、点字の読み出しのための参照位置とすることもできる。
【００２５】
この領域において、点字は、各エンボス行に配置される点配列を、上下２点、下方の１点、及び上方の１点の各点、あるいは無印などのエンボス行で使用できる活字に置き換えて各行にエンボス加工することで形成される。上下２点は点列に並べられる２点を表しておりコロンの活字を用いてもよく、下方の１点は点列に並べられる下側の１点を表しておりピリオドの活字を用いてもよい。また、上方の１点は列に並べられる上側の１点を表す。これらの点又は無印の列を各エンボス行に刻印することで点字を形成することができる。
【００２６】
本発明の点字のエンボス表示方法は、クレジットカードに限らず種々のプラスティックカードやエンボスを施す媒体に適用に適用することができる。
【００２７】
本発明によれば、ピリオド、コロン等の既存の活字や文字記号、上方の１点や無印等の数種の活字や文字記号を用いることにより、多数の点字専用活字を用いることなく点字をエンボス表示することができる。
【００２８】
【発明の実施の形態】
以下、本発明の実施の形態について、図を参照しながら詳細に説明する。
【００２９】
図１は、本発明によるカードの券面上に形成する点字の概要を説明するための図である。なお、カードは、前記した国際規格のクレジットカードの他、他の規格あるいは任意規格のカードとすることができる。
【００３０】
図１において、カード１の券面２の一つのエンボスライン内にエンボスラインの行方向に沿って点字配列９を備える。この点字配列９は、縦２点の点列のみ、又は縦１点の点列のみにより形成される。縦２点の点列のみにより点字を形成する場合には、縦３点横２列の６点点字の内で、例えば上４点にのみ点により点字を形成し、下２点の点字は券面２上に形成しない。
【００３１】
図１に示す点字配列９は、６点点字による点字をカード１の下縁部３に隣接して配列する例を示している。この点字配列では、６点点字の内の上方４点側の点字のみをエンボス加工により形成し、下方２点側の点字は券面２上には形成しない。なお、図１では、上方４点側の点字を実線で表示し、下方２点側の点字は破線で表示している。
【００３２】
点字の読み手は、カード１の下縁部３に沿って形成された縦２点の点字配列９を触読する。この際、読み手は点字配列９が６点点字の内の上方４点側の点字のみで形成され、下方２点側の点字は券面２上には形成されていないことを予め認識しておくことにより、縦２点の点字配列９の点字内容を認識することができる。なお、このときカード１の下縁部３は点字配列９のガイドラインとして使用することができる。
【００３３】
なお、この縦２点の点字配列９は、必ずしもカード１の下縁部３に最も近い位置に隣接するエンボスラインに限らず、複数段に設けられた各エンボスラインに形成することもできる。
【００３４】
縦２点の点字配列９は、上方４点側の点列の他に下方４点側の点列としてもよい。また、縦２点の点字配列の他に、縦１点の点字配列とすることもできる。
【００３５】
図２は、上方４点の点字配列、下方４点の点字配列、及びいずれかの段の横２点の点字配列の例を示す図である。
【００３６】
図２（ａ）は縦２点の点配列を使用し、６点点字の上方４点を表示する例である。点字配列１０は６点点字による点字配列において、縦３点横２列の全６点の点位置の内で上方４点のみを打刻部１０ａ（図中では点位置を実線で示している）として使用し、エンボスライン内に形成する。一方、下側の２点は無打刻部１０ｂ（図中では点位置を破線で示している）であり使用しない。この点字配列は、例えば、「あ、い、う、え、お」の仮名表記、「１〜０」の数字表記、「ａ〜ｊ」のアルファベット表記に適用することができる。点字配列１０の各点字は、エンボスラインに沿って配列され、図２（ａ）ではカード１の下縁部３に隣接したエンボスラインに配列される。
【００３７】
図２（ｂ）は縦２点の点配列を使用し、６点点字の下方４点を表示する例である。点字配列１２は６点点字による点字配列において、縦３点横２列の全６点の点位置の内で下方４点のみを打刻部１０ａ（図中では点位置を実線で示している）として使用し、エンボスライン内に形成する。一方、上側の２点は無打刻部１０ｂ（図中では点位置を破線で示している）であり使用しない。この点字配列は、例えば、「（、）、？、！」等の邦文記号、「．（ピリオド）、，（コンマ）、；（セミコロン）、：（コロン）、−（ハイフン）、“、”、？、！」等の英文記号に適用することができる。
【００３８】
図２（ｃ）は縦１点の点字配列の例である。点字配列１３は６点点字による点字配列において、縦３点横２列の全６点の点位置の内で上段、中段、下段のいずれかの段の横２点のみを打刻部１０ａ（図中では点位置を実線で示している）として使用し、エンボスライン内に形成する。使用する横２点は、例えば、６点点字の縦３点中の上段、中段、あるいは下段のいずれかのみに有意点を持つ点であり、残りの２つの段は無打刻部１０ｂ（図中では点位置を破線で示している）であり使用しない。この点字配列は、例えば、数字の「１、３」、文字の「あ、う」、英字の「Ａ、Ｃ」、つなぎ符、棒線、点線、「、」等の邦文記号、「，（コンマ）、：（コロン）、−（ハイフン）」等の英文記号に適用することができる。
【００３９】
日本で一般的に使用される６点点字は、縦３点横２列で、縦が６ｍｍ必要であることから、カードのエンボスラインの縦の寸法（４ｍｍ）内に、縦に３点を打刻することはできない。
【００４０】
ところが、６点点字であっても、６点の内の下側あるいは上側の２点に有意点がない点字は、上方４点あるいは下方４点の点字配列のみで文字を表し、読み取ることができ、また、同様に、６点点字の内の一段のみに点が形成される点字配列については、いずれかの段の２点の点字配列のみで文字を表現し、読み取ることができる。
【００４１】
そこで、このような点字のみを用いることにより、カードのエンボスラインの縦の寸法内に縦に２点の４点の点列、あるいは縦に１点の２点の点列であっても一般的に用いられる大きさの点字を形成することができる。
【００４２】
以下、図３を用いて、６点点字の内で縦２点の点字配列として適用することができる例について説明する。
【００４３】
６点点字の内で上方４点の点字配列のみで点字内容が特定されるものとして、例えば、「あ」，「い」，「う」，「え」，「お」の仮名表記、「１」，「２」〜，「９」，「０」の数字表記、「ａ」，「ｂ」，〜「ｊ」のアルファベット表記がある。
【００４４】
図２（ａ）に示すように、「あ」，「い」，「う」，「え」，「お」の仮名表記は、６点点字の内の下方縦１点の点字配列は点を表記せず、上方４点の点字配列のみに点が表記される。また、図２（ｂ），（ｃ）に示すように、「１」，「２」〜，「９」，「０」の数字表記、及び「ａ」，「ｂ」，〜「ｊ」のアルファベット表記についても、６点点字の内の下方２点の点字配列は点を表記せず、上方４点の点字配列のみに点が表記される。
【００４５】
通常、数字表記及びアルファベット表記の場合には、その点字が数字であることやアルファベットであることを表すために、数字符（図２（ｂ））や外字符（図２（ｃ））と共に使用するが、クレジットカードに点字を使用する目的は、そのカードが自己のものであるということを判断するためのセルフマークとして用いられるものであり、これを前提とすればカード使用者がカード１の券面２に形成される点字が数字あるいはアルファベットであることを認識しさえすれば、数字符や外字符を用いなくても有効に機能することができる。
【００４６】
したがって、６点点字の内の「あ」，「い」，「う」，「え」，「お」の仮名表記、「１」，「２」〜，「９」，「０」の数字表記、「ａ」，「ｂ」，〜「ｊ」のアルファベット表記は、上方４点の点字配列のみで表記内容を区別することができる。
【００４７】
また、仮名表記、数字表記、及びアルファベット表記は、共通する配列を備えているため、カード上に表記される点字配列の文字毎に、仮名表記、数字表記、アルファベット表記の何れを表すかを予め定めておくと、使用者以外の読み手には意味のない文字とすることもできる。
【００４８】
また、カード上の複数のエンボスラインが形成される場合には、何れの段のエンボスラインが仮名表記、数字表記、あるいはアルファベット表記を表しているかを予め設定しておき、かつ、読み手が認識していることにより、数字符や外字符などを省略して、一枚のカード上に仮名表記、数字表記、及びアルファベット表記を表記することができる。
【００４９】
次に、本発明によりクレジットカードの券面上に点字を形成する形態において、６点点字の例について図４〜図７を用いて説明する。なお、図４は点字配列をエンボスライン４の行方向に沿って配置して点字を形成する形態を示し、図７は点字配列をエンボスライン５の行方向に沿って配置して点字を形成する形態を示している。ここで、エンボスライン４〜６は、カード１の下縁部３から順に設けられている。
【００５０】
図４、図７は、本発明のクレジットカードの各形態例を示している。
【００５１】
クレジットカード１の券面２には、国際クレジットカードの決済機関であるブランド会社により位置や大きさが定められたエンボスライン４〜６が設定されている。例えば、第１のエンボスライン４は、カードの下端の縁部３から２．５ｍｍの間隔を開けた位置を下端とし最大の高さを４ｍｍとして定められ、第２のエンボスライン５は、第１のエンボスライン４の上方位置に同じく最大の高さを４ｍｍとして定められ、第３のエンボスライン６は、第２のエンボスライン５の上方位置に同じく最大の高さを４ｍｍとして定められている。
【００５２】
一方、日本国内において最も多く使用されている点字配列は約縦６ｍｍ横４ｍｍの枠内に縦方向に３点、横方向に２点が定められており、この点字配列内の所定位置に所定の組合せで突出形状を形成することにより点字が形成される。
【００５３】
点字配列１０は、通常の向きの点字配列をクレジットカードの複数のエンボスラインの行方向に沿って設定し点字を形成する。点字配列は縦６ｍｍであるため、最大高さが４ｍｍのエンボスライン内に６点点字の点字配列を配置することはできない。
【００５４】
そこで、本発明は６点点字の点字配列の内の上方４点のみを用いて点字を表記する。図４は第１のエンボスライン４に点字配列１０を配置する形態例を示し、図７は第２のエンボスライン５に点字配列１０を配置する形態例を示している。
【００５５】
図４に示す形態例では、カード１の下縁部３に最も近い第１のエンボスライン４の行方向に沿って配置して点字配列１０を形成する。なお、この形態例では、点字配列１０として仮名表記１４の場合が示しているが、前記したように数字表記あるいはアルファベット表記とすることもできる。
【００５６】
第１のエンボスライン４には、カードの左縁部８から順に点字配列１０Ａ〜１０Ｅの上方４点の打刻部１０ａが形成される。点字配列１０Ａ〜１０Ｅの下方２点の無打刻部１０ｂの位置は、第１のエンボスライン４と下縁部３との間に挟まれる領域内となるが、カード１の券面２には形成せず、第１のエンボスライン４内にのみに形成する。点字配列が仮名表記１４として設定されている場合には、各点字配列１０Ａ〜１０Ｅはそれぞれ「あ」，「い」，「う」，「え」，「お」を表すことになる。
【００５７】
点字配列１０をカード１の券面２上に形成するには、図５に示すように、下１点の活字１１ａ、上１点の活字１１ｂ、及び上下２点の活字１１ｃの３種類の活字と、スペース１１ｄを用いることができる。この３種類の活字の内、下１点の活字１１ａはピリオドの活字を利用することができ、上下２点の活字１１ｃはコロンの活字を利用することができる。また、上１点の活字１１ｂはピリオドの活字を上下逆転させて利用してもよい。
【００５８】
例えば、図６に示すように、仮名表記の「あ」の点字配列１０ａは、上側に一点を有する左部分１０ａＬと、点を有しない右部分１０ａＲとからなり、各部分は上１点の活字１１ｂを用いた打刻と、スペース１１ｄを用いた打刻との組み合わせにより形成することができる。
【００５９】
仮名表記の「い」の点字配列１０ｂは、上下に２点を有する左部分１０ａＬと、点を有しない右部分１０ａＲとからなり、各部分はコロンの活字１１ｃを用いた打刻と、スペース１１ｄを用いた打刻との組み合わせにより形成することができる。
【００６０】
仮名表記の「う」の点字配列１０ｃは、上側に一点を有する左部分１０ａＬと、同じく上側に一点を有する右部分１０ａＲとからなり、各部分は上１点の活字１１ｂを用いた打刻を２つ組み合わせることにより形成することができる。
【００６１】
仮名表記の「え」の点字配列１０ｄは、上側に一点を有する左部分１０ａＬと、上下に２点を有する右部分１０ａＲとからなり、各部分は上１点の活字１１ｂを用いた打刻と、コロンの活字１１ｃを用いた打刻との組み合わせにより形成することができる。
【００６２】
仮名表記の「お」の点字配列１０ｅは、上側に一点を有する左部分１０ａＬと、下に１点を有する右部分１０ａＲとからなり、各部分は上１点の活字１１ｂを用いた打刻と、ピリオドの活字１１ａを用いた打刻との組み合わせにより形成することができる。
【００６３】
なお、「１」，「２」，〜「０」の数字表記や、「ａ」，「ｂ」，〜「ｊ」のアルファベット表記においても、同様に、下１点の活字１１ａ、上１点の活字１１ｂ、及び上下２点の活字１１ｃの３種類の活字と、スペース１１ｄを用いることができ、カード１の券面２上に打刻を行う際には通常使用するコロンやピリオド等の活字を利用して、エンボスラインに点字配列を形成することもできる。
【００６４】
図７に示す形態例では、カード１の下縁部３から２番目の第２のエンボスライン５に点字配列１０を形成する。なお、この形態例では、点字配列１０として数字表記１５の場合が示しているが、前記したように仮名表記あるいはアルファベット表記とすることもできる。
【００６５】
第２のエンボスライン５には、カードの左縁部８から順に点字配列１０Ａ〜１０Ｅの上方縦２点の打刻部１０ａが形成される。点字配列１０Ａ〜１０Ｅの下方縦１点の無打刻部１０ｂ（図中において破線で示す）の位置は第１のエンボスライン４内となるが、カード１の券面２には形成せず、第２のエンボスライン５内にのみに形成する。点字配列が数字表記１５として設定されている場合には、各点字配列１０Ａ〜１０Ｅはそれぞれ「１」，「２」，「３」，「４」，「５」を表すことになる。なお、通常の６点点字では、数字を表す際には数字符を用いて数字表記であることを示すが、ここでは、数字表記であることを前提とすることにより数字符の表記を省略する。
【００６６】
本発明の態様によれば、カードの券面上に打刻を行う際に通常使用するコロンやピリオド等の活字を用い、一行分のエンボスラインに点字配列をエンボス加工するだけで、点字の読み手に触読可能な点字配列を形成することができる。
【００６７】
本発明のクレジットカードによれば、クレジットカードの券面に点字を形成することにより、視覚障害者がクレジットカードを使用した際に、自己のクレジットカードを判別でき、カードの取り違えなどを防ぐことができる。
【００６８】
また、本発明によれば、既存のエンボス加工装置を利用し、点字専用の活字を追加することなく、カードに点字のエンボス加工を行うことができる。
【００６９】
【発明の効果】
本発明によれば、国際規格のクレジットカードのエンボスラインに点字を設けることができる。
【図面の簡単な説明】
【図１】本発明によるカードの券面上に形成する点字の概要を説明するための図である。
【図２】縦２点又は縦１点による点字配列の例を示す図である。
【図３】６点点字の内で縦２点の点字配列として適用することができる例を説明するための図である。
【図４】点字配列をエンボスラインの行方向に沿って配置して点字を形成する形態を示す図である。
【図５】点字配列を形成する活字を説明するための図である。
【図６】活字の組み合わせによる点字配列の形成を説明するための図である。
【図７】点字配列をエンボスラインの行方向に沿って配置して点字を形成する形態を示す図である。
【図８】国際規格のクレジットカードのエンボス部分の規格の一例を示す図である。
【図９】エンボスラインの部分と点字との関係を示す図である。
【符号の説明】
１…クレジットカード
２…券面
３…下縁部
４…第１エンボスライン
５…第２エンボスライン
６…第３エンボスライン
７…表示領域
８…側縁部
９…点字配列
１０…点字配列
１０ａ…打刻部
１０ｂ…無打刻部
１１，１１ａ〜１１ｃ…活字配列
１２…点字配列
１３…点字配列
１４…仮名表記
１５…アルファベット表記
１６…数字表記
【図１】
2004230767.tif 000003
【図２】
2004230767.tif 000004
【図３】
2004230767.tif 000005
【図４】
2004230767.tif 000006
【図５】
2004230767.tif 000007
【図６】
2004230767.tif 000008
【図７】
2004230767.tif 000009
【図８】
2004230767.tif 000010
【図９】
2004230767.tif 000011